(57)【要約】      （修正有）【課題】安定圧力を維持する負荷装置を提供する。【解決手段】連絡ベース部１０と複数の載荷素子２０とを含む、安定圧力を維持する負荷装置を提供する。連絡ベース部の内部は体積が圧縮されない流体１１、半流動体または弾性素子のいずれかの部材を選択し、載荷素子がそれぞれ独立して連絡ベース部の上方に配置されている。特に、複数の載荷素子が体の任意の部位を圧下したときに支え載荷面を形成して、圧力軽減の働きを有すると共に、載荷素子が連絡ベース部を圧下したときにパスカル作用が働き、連絡ベース部内部の流体、半流動体または弾性素子の圧力が均一に他の部位へ伝達されると共に、流体、半流動体または弾性素子の各部に同じ圧力を受けるため、体任意の２つの部位が圧下したときの支え載荷面の圧力を受け持つことができる。【選択図】図５
0003232984.tif 000002
【実用新案登録請求の範囲】
【請求項１】
連絡ベース部と、複数の載荷素子と、を備え、
前記連絡ベース部は、体積を圧縮できない流体、半流動体、または弾性素子のいずれかの部材を充填した密閉状を構成し、
前記複数の載荷素子は、前記連絡ベース部の上方に配置され、弾性体または剛性体からなり、上層部と下層部を含み、
前記複数の載荷素子上に身体の複数の部位を搭載すると、前記流体、半流動体、または弾性素子を介したパスカル作用により、前記複数の載荷素子が前記身体の複数の部位を均一の圧力で支持することを特徴とする、
安定圧力を維持する負荷装置。
【請求項２】
前記連絡ベース部の内の前記流体、半流動体、または弾性素子が、シリコンオイル、ゲル状シリコン、低硬シリコンゴム、及びラテックスのいずれかであることを特徴とする、請求項１記載の安定圧力を維持する負荷装置。
【請求項３】
受け台を備え、前記受け台内に引き込み状収納空間を有し、前記連絡ベース部を前記引き込み状収納空間内に配置することを特徴とする、請求項１記載の安定圧力を維持する負荷装置。
【請求項４】
前記上層部が弾性具または剛性具からなり、前記下層部が剛性具からなることを特徴とする、請求項１記載の安定圧力を維持する負荷装置。
【請求項５】
前記載荷素子が、高硬度シリコンゴムからなることを特徴とする、請求項１記載の安定圧力を維持する負荷装置。
【請求項６】
前記複数の載荷素子が左右に離れた状態で前記連絡ベース部の上方に配置され、クッション、座面、又は背もたれとして使用できることを特徴とする、請求項１記載の安定圧力を維持する負荷装置。
【請求項７】
前記上層部を前記下層部より小さく設けることにより、複数の前記上層部間にスペースを形成し、複数の前記下層部の側面が互いに貼りついていることを特徴とする、請求項１記載の安定圧力を維持する負荷装置。
【請求項８】
前記連絡ベース部の上方に左側載荷素子設置区域と、右側載荷素子設置区域を区画し、前記複数の載荷素子が、前記左側載荷素子設置区域上と、前記右側載荷素子設置区域上に配置し、前記左側載荷素子設置区域と前記右側載荷素子設置区域の間に区画スペースを有することを特徴とする、請求項１記載の安定圧力を維持する負荷装置。
【請求項９】
前記上層部を前記下層部より小さく設けることにより、複数の前記上層部間にスペースを形成し、前記下層部がさらに複数の下層支部を画定し、前記複数の各下層支部の側面が互いに貼りついていることを特徴とする、請求項１記載の安定圧力を維持する負荷装置。
【請求項１０】
前記複数の載荷素子が隣接した状態で前記連絡ベース部の上方に配置され、クッション、座面、背もたれ、又はベッドマットとして使用できることを特徴とする、請求項１記載の安定圧力を維持する負荷装置。
【考案の詳細な説明】
【技術分野】
【０００１】
本案は体を乗せる載荷装置の分野に関し、特に体を乗せたときに体の接触部の圧力を軽減できると共に、圧力を均一にし、圧力を解放して、より良い接触感覚を与えられ、姿勢を正しくする効果をもたらす、安定圧力を維持する負荷装置に関するものである。
【背景技術】
【０００２】
図１は、椅子に座ったときの、人体骨格各部の態様を示す図であり、図２は椅子に座ったとき、体の不釣り合いに対して、釣り合いを整えた座面を示す図である。
図１と図２に示すように、体は、座ったときに上半身の体重が骨盤によって支えられるが、体の骨盤の左右が不釣り合いな状態のとき、梨状の臀部の左右が等しくなく、骨盤の左右いずれかが傾く。一方、座る椅子の座面をこれに合わせて高さや支え力量を調節することはできず、左右が釣り合わない座面圧力を形成し、頸部、胸部、腰部、臀部の脊髄も傾いた状態なので、頸部、肩部、臀部、胸郭、背部または腰部や臀部、大腿部の痛みまたは不調を感じる。
【０００３】
前述した骨盤の左右の不釣り合いな病理構造の課題に対し、考案者は公知の椅子と事務用椅子に起きる課題の対策を考案した。
【先行技術文献】
【特許文献】
【０００４】
【特許文献１】台湾特許公告第Ｉ７１４２６１号
【考案の概要】
【考案が解決しようとする課題】
【０００５】
関連する従来技術の、台湾特許公告第Ｉ７１４２６１号、臀部に適する椅子（特許文献１）は、ブラケットを有し、前記ブラケットによってクッション組の位置が制限され、前記クッション組は左右に並列する左クッション部と右クッション部とを含み、前記ブラケットによって、第１弾性具と第２弾性具とを固定し、前記第１弾性具を前記左クッション部の下方に連結して、利用者臀部の左半分を前記左クッション部の上方に座ると、前記左クッション部が下方に移動され、圧力がなくなると元の位置に戻される。一方、前記第２弾性具が右クッション部の下方に連結され、利用者の右臀部を前記右クッション部に座るとき、前記右クッション部が下方に移動され、圧力がなくなると元の位置に戻される。
【０００６】
前述の考案の効果として、利用者の臀部が左右クッション部の上方に座るとき、臀部左右の高低さに従ってそれぞれ高さを調節して、合計の負荷面積を増加させて、快適な減圧支持状態を構成する。
【０００７】
前述の考案は、第１弾性具と第２弾性具の圧下性と弾性戻り力により、臀部左右両側の高低さに追随してそれぞれ独立して高さの自動調節目的を実現する。さらに、第１弾性具と第２弾性具は実施例において、圧縮バネであり、かかる圧縮バネは力学弾性論理フックの法則（ＨＯＯＫＥ’Ｓ  ＬＡＷ）によれば、固体部材（圧縮バネ）が力を受けると、応力と応変（単位変形量）が直線関係を形成することにより、左右の圧縮バネ上方に配置された載荷素子の左クッション部と右クッション部の合計負荷面積は増加するものの、左右の負荷面積が同じでないことから、左右の圧力が釣り合わない現象が現れる。
【０００８】
総じて言えば、独立状の左右クッション部は臀部の両部の大きさや高低さに追随して高さを調節し、合計負荷面積を増やして、圧力の軽減効果を果たすものの、左右の臀部の受ける圧力をバランスさせる効果を有さない。よって、左右臀部の底部圧力を解放させる快適性については、なお改善の余地が残る。
【０００９】
前述の説明から分かるように、公知技術の構造がより快適な圧力解放と接触感覚を得るためには、左右の臀部の受ける圧力を改良及び設計しなおす必要がある。そのため、考案者が研究及び開発を重ねた結果、本案の安定圧力を維持する負荷装置を考案した次第である。
【課題を解決するための手段】
【００１０】
本考案の目的は、連絡ベース部と、複数の独立載荷素子とを含む安定圧力を維持する負荷装置を提供することである。連絡ベース部の内部は体積が圧縮されない流体、半流動体または弾性素子のいずれかの部材を選択し、載荷素子をそれぞれ独立して連絡ベース部の上方に配置されている。特に、複数の載荷素子は体のいずれかの部位を圧下したときの支え面を形成し、圧力軽減の働きを有すると共に、載荷素子が連絡ベース部を圧下したときにパスカル作用を引き起こして、連絡ベース部内部の流体、半流動体または弾性素子の圧力を均一に他の部位へ伝達されると共に、流体、半流動体または弾性素子の各部に同じ圧力を受けながら、体任意の２つの部位が圧下したときの支え面の圧力を受け持つことができる。
【００１１】
したがって、体の任意２つの部位、例えば左と右臀部が左右の載荷素子に圧力をかけるとき、左と右臀部の圧力をバランス良く軽減でき、圧力を解放し、より快適な接触感覚を感じられると共に、姿勢を正す効果を有し、クッション、座面、背もたれ、ベッドマット、頭受けなどの製品に適用できる。
【００１２】
よって、前述した本案の目的を達成するため、本案の安定圧力を維持する負荷装置は一実施例において、連絡ベース部と、複数の独立載荷素子とを含む。連絡ベース部が密閉状を形成していて、体積が圧縮できない流体、半流動体または弾性素子のうちいずれかの部材を選択することができ、連絡ベース部の外部を変形させ外部圧力と合わせて、連通管効果、パスカル作用を達成できる。
【００１３】
複数の独立した載荷素子が弾性または剛性いずれかの部材を選択し、各載荷素子を独立して連絡ベース部の上方に配置され、載荷素子が上層部と、下層部とを含む。
【００１４】
そのうち、複数の載荷素子には体のいずれかの部位を左右、前後または内外側の不釣り合い状態で圧下したときの支え載荷面を形成し、圧力軽減の働きを有すると共に、載荷素子が身体のいずれかの部位を受け持ち連絡ベース部を圧下したとき、前述流体、半流動体または弾性具が体積の圧縮されない特性により、パスカル作用を引き起こして、載荷素子が前述流体、半流動体または弾性具に加わる圧力が流体、半流動体または弾性具経由に各部位に伝わり、流体、半流動体または弾性素子の圧力を均一に、体任意の２つの部位が圧下したときの支え載荷面の圧力を受け持つことができる。
【００１５】
一実施例において、連絡ベース部の部材は、流体、半流動体または弾性素子いずれかの部材、例えば、シリコンオイル、低硬シリコンゴム、ラテクスのいずれかを選択する。
【００１６】
一実施例において、連絡ベース部を受け台に設ける。かかる受け台に連絡ベース部を設けるための引き込み状収納空間を有する。
【００１７】
一実施例において、かかる受け台は剛性具、例えば高硬度シリコンゴムより選択する。
【００１８】
一実施例において、かかる複数の載荷素子が体を乗せるか否かに拘らず、少なくとも一部分が受け台の側縁部に突き出す状態が保持される。
【００１９】
一実施例において、各載荷素子の上層部が弾性または剛性具によって形成し、各載荷素子の下層部が剛性具、例えば高硬度シリコンゴムによって形成される。
【００２０】
一実施例において、各載荷素子が左右に釣り合った状態で連絡ベース部の上方に配置され、体のいずれか２つの部位に対応して受け持ち、クッション、座面、背もたれ製品として使用できる。
【００２１】
一実施例において、各載荷素子の上層部を各載荷素子の下層部より小さく設けることにより、各載荷素子の上層部同士にスペースを形成して、包み込んで通気性を維持し、互いに干渉せず、肌を噛むこともなく、ゼロ圧力区域を区画し、下層部同士の側面が互いに貼りつけていて、独立して分離した密閉状平面を形成して、安定圧力スペースが区画される。
【００２２】
一実施例において、各載荷素子の上層部が矩形体または方形体のいずれかであり、各載荷素子の下層部が矩形体または方形体のいずれかである。
【００２３】
一実施例において、各載荷素子の上層部が円形であり、各載荷素子の下層部が矩形体または方形体のいずれかである。
【００２４】
一実施例において、各載荷素子の下層部同士の側面が互いに貼り付けられている。
【００２５】
一実施例において、かかる連絡ベース部の上方に左側載荷素子設置区域と、右側載荷素子設置区域を区画していて、複数の載荷素子が左側載荷素子設置区域と、右側載荷素子設置区域を配置し、かかる左側載荷素子設置区域と右側載荷素子設置区域同士に中間部のゼロ圧力区域の区画スペースを有する。
【００２６】
一実施例において、各載荷素子同士が独立していて、上層部にスペースを有し、下層部が密閉状を形成する。
【００２７】
一実施例において、各載荷素子の上層部を各載荷素子の下層部より小さく設けることにより、各載荷素子の上層部同士にスペースを形成して、ゼロ圧力区域を画定し、下層部同士の側面が互いに貼りつけて、独立に分離した密閉状平面を形成して、均衡圧力区域を画定する。さらに、載荷素子が体の釣り合わない部位または姿勢に対応するため、複数の載荷子素子が画定されている。
【００２８】
一実施例において、各載荷子素子同士が独立していて、上層部にスペースを有し、下層部が密閉状を形成する。
【００２９】
一実施例において、各載荷素子を均一状態で連絡ベース部の上方に配置して、体のいずれか２つの部位に対応して受け持ち、クッション、枕、背もたれ製品として使用できる。
【図面の簡単な説明】
【００３０】
【図１】椅子に座ったときの人体骨格各部の態様を示す図である。
【図２】椅子に座ったときの体が不釣り合いな状態に対して、釣り合いを整えた座面を示す図である。
【図３】本案の安定圧力を維持する負荷装置の第１実施例にかかる立体図である。
【図４】本考案の安定圧力を維持する負荷装置の第２実施例にかかる立体分解図である。
【図５】本案の安定圧力を維持する負荷装置の適用例の態様図である。
【図６】本案の安定圧力を維持する負荷装置の第２実施例にかかる立体図である。
【図７】本考案の安定圧力を維持する負荷装置の第２実施例にかかる立体分解図である。
【図８】本案の安定圧力を維持する負荷装置の第３実施例にかかる立体図である。
【図９】本案の安定圧力を維持する負荷装置の第４実施例にかかる立体図である。
【図１０】本案の安定圧力を維持する負荷装置の第４実施例において、載荷素子を設けていない上層部にかかる立体図である。
【図１１】本案の安定圧力を維持する負荷装置の第４実施例において、載荷素子の下層部がさらに複数の下層支部に画定された立体図である。
【図１２】本案の安定圧力を維持する負荷装置の第４実施例において、載荷素子の下層部がさらに複数の下層支部に画定された立体図である。
【図１３】本案の安定圧力を維持する負荷装置の第実施例５を示す、上層部が矩形を形成する上視図である。
【図１４】本案の安定圧力を維持する負荷装置の実施例５において、上層部が円形を形成する上視図である。
【考案を実施するための形態】
【００３１】
本案の安定圧力を維持する負荷装置をより詳しく説明するため、図面と合わせて好ましい実施例を以下のとおり詳細に説明する。
【００３２】
まず、本案の適用原理について説明したい。
【００３３】
連通管原理（ＰＲＩＮＣＩＰＬＥ  ＯＦ  ＣＯＮＮＥＣＴＩＮＧ  ＰＩＰＥ）：底部が連絡した容器（連通管）に液体を注入した後、液体が高所から低所に流れていき、チューブ出口の圧力が均一なため、液面が静止したとき、容器形状、長さ、細さと関係なく必ず同じ液面となること。
【００３４】
パスカルの原理（ＰＡＳＣＡＬ’Ｓ  ＰＲＩＮＣＩＰＬＥ）： 密閉流体に作用する圧力の流体を均一に各部位に伝達した場合、密閉流体の各部とも同じ圧力を有すること。
【実施例１】
【００３５】
図３の、本案の安定圧力を維持する負荷装置１の第１実施例にかかる立体図を参照し、図４の、本考案の安定圧力を維持する負荷装置の第２実施例にかかる立体分解図と、図５の、本案の安定圧力を維持する負荷装置の適用例の態様図とを合わせて参照する。
【００３６】
図３と図４に示すように、本案の安定圧力を維持する負荷装置１は、連絡ベース部１０と、複数の載荷素子２０とを含む。
【００３７】
連絡ベース部１０は密閉状を形成していて、体積が圧縮できない流体１１、半流動体または弾性素子のうちいずれかの部材を選択することができる。連絡ベース部１０を変形させ、外部圧力と合わせて、連通管の効果、パスカル作用を達成できる。
【００３８】
各載荷素子２０は弾性または剛性いずれかの部材を選択する。各載荷素子２０が独立した状態で連絡ベース部の１０上方に配置され、載荷素子２０が上層部と、下層部２２とを含む。
【００３９】
各載荷素子２０の上層部２１は荷重を独立に受け持つ載荷面を形成する。これにより、耐力と接触面積を増やし、包み込み通気性を有し、互いに干渉せず、肌を噛むこともなく、ゼロ圧力区域を画定し、本案を適用したとき、てこ作用の力点、耐力点、モーメントアーム、支点となる。
【００４０】
各載荷素子２０の下層部２２が密閉状の載荷体を形成する。
【００４１】
引き続き図５を参照する。複数の載荷素子２０には体のいずれかの部位を左右、前後または内外側の不釣り合い状態で圧下したときの支え載荷面を形成し、圧力軽減の働きを有すると。また、載荷素子２０が身体のいずれかの部位を受け持ち連絡ベース部１０を圧下したとき、前述の流体１１、半流動体または弾性具が体積を圧縮されない特性により、パスカル作用を引き起こして、載荷素子２０が前述流体、半流動体または弾性具に加える圧力が流体１１、半流動体または弾性具経由に各部位に伝わり、流体１１、半流動体または弾性素子の圧力を均一に、体の任意の２つの部位が圧下したときの支え載荷面の圧力を受け持つ。
【００４２】
したがって、体の任意の２つの部位、例えば左と右臀部が左右の載荷素子２０に圧力をかけたとき、左と右臀部の圧力をバランス良く軽減でき、圧力を解放し、より快適な接触感覚を感じさせると共に、姿勢を正す効果を有する。このため、クッション、座面、背もたれ、ベッドマット、頭受けなどの製品に適用できる。
【００４３】
図５の、体の左右の臀部にある大小の矢印は圧下力量の大小を示し、左右の載荷素子２０がそれぞれ左右の臀部を受け持ち、左右の臀部の形状や力量の大小で圧下したとき、左右の載荷素子２０ともそれぞれ同じ高さＨが維持され、これは左右の載荷素子２０の支え載荷面の圧力が同じことを示す。このように、先行技術の左パッド部と右パッド部に加わる合計負荷重量が増加したとき、左右の負荷面積が同じでなく、左右側の受ける体重も同じでないとき、圧力の不均衡が発生する。
【００４４】
一歩進んで言えば、体の肌や骨格関節は剛性ではなく、じん性構造であるため、体重の垂直力量に左右の坐骨が独立に連動して負荷したときは、連通管原理のように臀部を含む体の左右部とも自然な圧力釣り合い状態を達成できる。
【００４５】
引き続き図３と図４を参照する。一実施例において、連絡ベース部１０の部材は、シリコンオイル、ゲル状シリコンジェル、低硬度シリコンゴム、ラテックスのいずれかを選択できる。
【００４６】
一実施例において、連絡ベース部１０を受け台３０に設けられ、かかる受け台３０に連絡ベース部１０を設けるための引き込み状収納空間３１を有する。
【００４７】
一実施例において、かかる受け台３０は高硬度シリコンゴムより選択する。
【００４８】
一実施例において、かかる複数の載荷素子２０は体を乗せるか否かに拘らず、少なくとも一部分が受け台３０の側縁部に突き出す状態を保持される。
【００４９】
一実施例において、各載荷素子２０の上層部２１を弾性具または剛性具によって形成し、各載荷素子２０の下層部２２を剛性具、例えば高硬度シリコンゴムによって形成する。
【００５０】
一実施例において、各載荷素子２０が左右に釣り合った状態で連絡ベース部１０の上方に配置され、体のいずれか２つの部位に対応して受け持ち、クッション、座面、背もたれ製品として使用できる。
【００５１】
一実施例において、各載荷素子２０の上層部２１を各載荷素子の下層部２２より小さく設けることにより、各載荷素子２０の上層部２１同士にスペースＳを形成して、包み込んで通気性を維持し、互いに干渉せず、肌を噛むこともなく、ゼロ圧力区域が区画され、下層部２２同士の側面が互いに貼りついていて、独立して分離した密閉状平面の均衡圧力区域が区画される。
【００５２】
すなわち、右の載荷素子２０に左右の臀部を載せたときに、坐骨の左右部に釣り合った圧力を与えて、スペースＳによって、ゼロ圧力区域が画定され、仙椎と尾椎に対してゼロ圧力となる。
【００５３】
一実施例において、各載荷素子２０の上層部２１が矩形体または方形体のいずれかであり、各載荷素子２０の下層部２２が矩形体または方形体のいずれかである。
【実施例２】
【００５４】
図６の、本案の安定圧力を維持する負荷装置１の第２実施例にかかる立体図と、図７の、本考案の安定圧力を維持する負荷装置の第２実施例にかかる立体分解図とを合わせて参照する。
【００５５】
図６と図７に示すように、本案の安定圧力を維持する負荷装置１の第２実施例において、各載荷素子２０の上層部２１が円形を形成し、各載荷素子２０の下層部２２が矩形体または方形体のいずれかであり、上部が円形、下部が方形状を形成する。
これにより、負荷装置１が第１実施例と同じく、載荷素子２０の上層部２１同士にスペースＳを空けて、ゼロ圧力区域が画定され、下層部２２によって、均衡圧力区域が界定されている。
【００５６】
各載荷素子２０の上層部２１が円形を形成していて、包み込み通気性を有し、負荷と接触面積を増やし、互いに干渉せず、肌を噛むこともなく、ゼロ圧力区域が画定されている。
【００５７】
本案の安定圧力を維持する負荷装置１の第２実施例において、各載荷素子２０の下層部２２同士の側面が互いに貼り付いていて、独立に分離した密閉平面が形成されている。
【実施例３】
【００５８】
図８の、本案の安定圧力を維持する負荷装置１の第３実施例にかかる立体図を参照する。
【００５９】
図８に示すように、本案の安定圧力を維持する負荷装置１の実施例３において、かかる連絡ベース部１０の上方に左側載荷素子設置区域１２と、右側載荷素子設置区域１３とを区画していて、複数の載荷素子２０が左側載荷素子設置区域１２と右側載荷素子設置区域１３に配置し、かかる左側載荷素子設置区域１２と右側載荷素子設置区域との間に、ゼロ圧力区域を区画するためのスペースＳを有する。
【００６０】
本案の安定圧力を維持する負荷装置１の第３実施例において、各載荷素子２０同士の側面は互い独立して、間隔を空けた密閉状に形成されている。
【実施例４】
【００６１】
図９は本案の安定圧力を維持する負荷装置１の第４実施例にかかる立体図であり、図１０は本案の安定圧力を維持する負荷装置１の第４実施例の上層部２１を設けていない立体図である。図１１及び図１２は本案の安定圧力を維持する負荷装置１の第４実施例において、載荷素子２０の下層部２２がさらに複数の載荷素子２０下層支部２２１が画定された立体図である。これらを合わせて参照する。
【００６２】
図９、図１０、図１１と図１２とを合わせて参照する。本案の安定圧力を維持する負荷装置１の第４実施例において、各載荷素子２０の上層部２１を下層部２２より小さく設けることにより、各載荷素子２０の上層部２１同士にスペースＳを形成して、ゼロ圧力区域が画定されている。一方、下層部２２に安定圧力区域を画定した後、各載荷素子２０の下層部２２はさらに複数の下層支部２２１を画定し、各下層支部２２１同士の側面が互いに貼りつけて、独立した密閉状平面を形成して、安定圧力区域を画定し、体の釣り合わない部位または姿勢に対応する。
【００６３】
本案の安定圧力を維持する負荷装置１の第４実施例において、各下層支部２２１同士の側面が互いに分離していて、密閉を形成する。
【００６４】
引き続き、下層部２２と下層支部２２１が体の釣り合わない部位または姿勢に対応する実際の設計例を説明する。
【００６５】
図１０を参照する。下層部２２を左右に配列した場合は、体の釣り合わない部位または姿勢に対応及び合わせることができる。
【００６６】
図１１を参照する。下層部２２に前後に配列された２つの下層支部２２１をさらに画定した場合は、体の左または右片側が釣り合わない部位や釣り合わない臀部に順応して合わせることができる。
【００６７】
図１２を参照する。下層部２２に前後左右に配列された４つの下層支部２２１をさらに画定した場合は、臀部または腿部、アーチ型の釣り合わない部位に対応及び合わせることができる。
【００６８】
総じて言えば、実際の需要に応じて、各下層部２２の下層支部２２１の数を追加することができ、下層支部２２１の数が多いほど、体の不釣り合い部位や姿勢の不正をより対応できる。ここに取り上げた下層支部２２１は一好ましい実施例に過ぎず、４つに限られない。
【実施例５】
【００６９】
図１３の、本案の安定圧力を維持する負荷装置１の実施例５における、上層部２１が矩形の例を実施する上面図と、図１４の、本考案の安定圧力を維持する負荷装置１の実施例５における、上層部２１が円形の例の上面図とを合わせて参照する。
【００７０】
図１３と図１４の、本案の安定圧力を維持する負荷装置１の実施例５において、各載荷素子２０を均一に連絡ベース部１０の上方に配置し体を乗せて、クッション、枕、背もたれ製品として使用できる。
【００７１】
特に強調したいところは、以上の詳細な説明は本案の実施形態の具体例について説明する目的に過ぎず、該実施例は本案になんらの制限を加わるものではない点である。本案の技術精神に基づく等効果の応用又は変更は、すべて本案の請求の範囲に含むべきである。
【符号の説明】
【００７２】
１  安定圧力を維持する負荷装置
１０  連絡ベース部
１１  流体
１２  左側載荷素子設置区域
１３  右側載荷素子設置区域
２０  載荷素子
２１  上層部
２２  下層部
２２１  下層支部
３０  受け台
３１  引き込み状収納空間
Ｓ  スペース
【図１】
0003232984.tif 000003
【図２】
0003232984.tif 000004
【図３】
0003232984.tif 000005
【図４】
0003232984.tif 000006
【図５】
0003232984.tif 000007
【図６】
0003232984.tif 000008
【図７】
0003232984.tif 000009
【図８】
0003232984.tif 000010
【図９】
0003232984.tif 000011
【図１０】
0003232984.tif 000012
【図１１】
0003232984.tif 000013
【図１２】
0003232984.tif 000014
【図１３】
0003232984.tif 000015
【図１４】
0003232984.tif 000016